(57)【特許請求の範囲】
【請求項１】
キャスターを取り付けた脚柱にハウジングを固定し、該ハウジングに第１および第２操作レバーを上下方向へ回動可能に連結し、前記第２操作レバーの回動域にストッパを当接可能に設け、前記ストッパを上下動かつ床面に接地可能に設けたテーブル等のストッパ表示装置において、前記ハウジングに一対の係合爪を備えた表示手段を回動可能に設け、前記第２操作レバーに前記係合爪と選択的に係合可能な係止爪を設け、前記ストッパのロック作動およびロック解除作動に応じて、前記表示手段を選択的に表示可能にしたことを特徴とするテーブル等のストッパ表示装置。
【請求項２】
前記ハウジングの外面にカバーを装着し、該カバーと前記第２操作レバーとの間に開口部を設け、該開口部に臨ませて前記表示手段の表示面を配置した請求項１記載のテーブル等のストッパ表示装置。
【請求項３】
前記表示手段の表示面を、ストッパのロック作動およびロック解除作動に分けて互いに異色に彩色した請求項１記載のテーブル等のストッパ表示装置。
【発明の詳細な説明】
【０００１】
【発明の属する技術分野】
本発明は簡単な構成でストッパ作動の作動状況を容易に確認でき、テーブル使用時の安全性を得られるテーブル等のストッパ表示装置に関する。
【０００２】
【従来の技術】
従来、移動式テーブルや椅子の脚にキャスターが取り付けられ、その移動を阻止する手段として、種々のストッパ構造が提案されている。
例えば特許第２９１８４７６号公報のものは、脚柱の後端部にストッパ本体を取り付け、該本体の内部に操作板と一体の第１および第２操作レバーを回動かつ連動可能に設け、前記本体の内部に下端部を床面と接地可能にしたストッパを上下動可能に設け、該ストッパの上端部を第２操作レバーと係合可能に設けている
【０００３】
そして、ストッパのロック作動時に、操作板に足を載せ、第２操作レバーを押し下げてストッパの下端部を床面に接地し、該ストッパの下動分キャスターを床面から浮上させ、一方、前記ロック作動を解除する場合は、操作板に足を載せ、第１操作レバーを押し下げてストッパを床面から浮上させ、キャスターを接地させるようにしている。
【０００４】
しかし、この従来のストッパ構造は、ストッパのロック作動を表示する機構がなかったため、ストッパのロック作動を簡単に確認することができず、テーブル使用時の安全性を得られないという問題があった。
【０００５】
【発明が解決しようとする課題】
本発明はこのような問題を解決し、簡単な構成でストッパの作動状況を容易に確認でき、テーブル使用時の安全性を得られるテーブル等のストッパ表示装置を提供することを目的とする。
【０００６】
【課題を解決するための手段】
このため、請求項１の発明は、キャスターを取り付けた脚柱にハウジングを固定し、該ハウジングに第１および第２操作レバーを上下方向へ回動可能に連結し、前記第２操作レバーの回動域にストッパを当接可能に設け、前記ストッパを上下動かつ床面に接地可能に設けたテーブル等のストッパ表示装置において、前記ハウジングに一対の係合爪を備えた表示手段を回動可能に設け、前記第２操作レバーに前記係合爪と選択的に係合可能な係止爪を設け、前記ストッパのロック作動およびロック解除作動に応じて、前記表示手段を選択的に表示可能にし、ストッパのロック作動およびロック解除作動を簡単に確認可能にし、テーブル等を安全に使用できるようにしている。
【０００７】
請求項２の発明は、前記ハウジングの外面にカバーを装着し、該カバーと前記第２操作レバーとの間に開口部を設け、該開口部に臨ませて前記表示手段の表示面を配置し、カバーを介しハウジング外面の体裁を向上するとともに、開口部に対する表示面の注意を喚起するようにしている。
請求項３の発明は、前記表示手段の表示面を、ストッパのロック作動およびロック解除作動に分けて互いに異色に彩色し、ストッパのロック作動およびロック解除作動を視覚的に簡便に確認できるようにしている。
【０００８】
【発明の実施の形態】
以下、本発明を移動式会議用テーブルに適用した図示の実施形態について説明すると、図１乃至図７において１は天板、２は天板１の下面に取り付けた左右一対の支持枠で、該枠２，２が支柱３の上端部に枢軸４を介して回動可能に連結されている。
【０００９】
前記支柱３は斜め上向きに配置され、その上端部に操作ハンドル５に連係するロック機構６が設けられている。
前記ロック機構６はロックレバー、ロックピン、カム等（図示略）から構成され、前記操作ハンドル５を介してロック作動を形成または解除し、天板１を折り畳みまたはリセット可能にしている。
【００１０】
図中、７は天板１の前部直下に設けた幕板で、その上端部を支持枠２の前端部に回動可能に連結し、その下端部を支柱３の中高部に設けたリンク８に摺動可能に連結している。図中、９は棚板、１０は支柱３の下端部を後方に延設した管状の脚柱で、その前後位置に床面１１を走行可能なキャスター１２，１３が取り付けられ、前記脚柱１０の後端部にストッパ装置１４が設けられている。
【００１１】
前記ストッパ装置１４はアルミニウムダイカスト製のハウジング１５を有し、該ハウジング１５は後端部を開口した略箱形に形成され、その底部に通孔１６が形成され、その両側に一対の側壁１７が対向して設けられている。
前記側壁１７は図５のように、その前後端部の略同高位置にピン孔１８，１９が設けられ、それらの間に斜め上向きに長孔２０が形成され、該長孔２０の前部側にガイド溝２１が交差して垂直方向に形成されている。
【００１２】
前記ハウジング１５の前部は斜状壁で区画され、該壁の内面に複数の補強リブ２２が突設され、該壁の上端部に取付板２３が前方に突出成形されている。
前記取付板２３は脚柱１０に挿入され、その前後位置にネジ孔２４，２５が設けられ、該ネジ孔２４に脚柱１０の下方からビス２６がねじ込まれて取付板２３が固定され、また前記ネジ孔２５にキャスター１３と一体の取付ボルト２７がねじ込まれて、キャスター１３が取り付けられている。
【００１３】
図中、２８，２９は補強リブ、３０は補強リブ２８の前端部に突設した係止片で、脚柱１０の内面と係合可能にされ、３１は補強リブ２８の後部に突設した取付フランジで、ビス孔（図示略）が設けられている。３２は脚柱１０の後端部に形成した切欠部である。
【００１４】
前記ハウジング１５に、合成樹脂製の第１操作レバー３３と第２操作レバー３４とが回動かつ連動可能に設けられ、このうち第１操作レバー３３は足踏み可能な操作板３５と、該板３５の下面に突設した略足袋形状の一対のレバーブラケット３６とを有し、該ブラケット３６の先端部は後述のカムピンと係合可能にされている。
【００１５】
また、第２操作レバー３４は足踏み可能な操作板３７と、該板３７の下面に突設したレバーブラケット３８とを備え、該ブラケット３８の前端部を前記レバーブラケット３６，３６間に挿入し、それらの枢支孔（図示略）にピン３９を差し込みし、該ピン３９を前記ピン孔１８に挿入して、第１および第２操作レバー３３，３４を同軸に回動可能に連結している。
【００１６】
前記レバーブラケット３８に略ハート形のカム穴４０が形成され、該穴４０はその移動時に前記長孔２０と連通可能に配置され、その一側に第１および第２係止部４１，４２を設けている。
前記第１および第２係止部４１，４２は、前記長孔２０に掛け止めたカムピン４３と選択的に係合可能にされ、後述するストッパのロック作動時はカムピン４３が第１係止部４１と係合し、ストッパのロック作動解除時はカムピン４３が第２係止部４１と係合可能にされている。
【００１７】
前記通孔１６に合成樹脂製のストッパ４４が摺動可能に挿入され、該ストッパ４４の上端部に、レバーブラケット３８の尖端部３８ａと係合可能な頭部４５が設けられ、該頭部４５の上面は二段に形成されていて、その周面に前記ガイド溝２１と係合可能な一対の突起４６が突設されている。
【００１８】
前記ストッパ４４の内部に、ストッパ脚４７の軸部が上下位置調整可能にねじ込まれ、その下端部を床面１１に接地可能にしている。
前記ハウジング１５の底部と頭部４５との間にスプリング４８が介挿され、その弾性を介してストッパ４４を上方へ付勢し、ロック解除時にストッパ４４の下端部を床面１１から浮上させ、かつ頭部４５を前記尖端部３８ａに係合可能にしている。
【００１９】
前記レバーブラケット３８の後端部に係止爪４９が突設され、該爪４９の先端部に表示手段である表示駒５０が係合可能に設けられている。
前記表示駒５０は合成樹脂製の二つの表示ピース５１，５２を嵌合して組み付け、その各枢支部のピン孔（図示略）にピン５３を差し込み、該ピン５３を前記ピン孔１９に挿入して、回動可能に取り付けている。この場合、表示駒５０を表示ピース５１，５２の二部材で構成する代わりに、単一部材で構成しても良い。
【００２０】
前記表示ピース５１，５２は互いに異色の合成樹脂で成形され、実施形態では表示ピース５１を緑色、表示ピース５２を赤色にそれぞれ着色し、それらの適所に表示部５４，５５を設けている。
実施形態では表示ピース５１を緑色、表示ピース５２を赤色に着色し、表示部５４にＦＲＥＥの文字を刻印し、表示部５５にＬＯＣＫの文字を刻印している。
【００２１】
図中、５６，５７は表示ピース５１，５２に突設した係合爪で、それらの間に前記係止爪４９の先端部が係合可能に配置されている。
この他、図中５８は合成樹脂製のカバーで、ハウジング１５の両側周面に装着され、その前端部の取付脚５９，５９をビス６０を介して前記取付フランジ３１に取り付けている。
【００２２】
前記カバー５８の後端部上側縁と操作板３７との間に、上向きに開口する開口部６１が設けられ、該開口部６１に前記表示部５３，５４を選択的に位置付け、これを上方から視認可能にしている。
６２は前記カバー５８の中間部内面に形成した凹孔で、前記カムピン４３の端部が収容されている。
【００２３】
このように構成したテーブル等のストッパ表示装置は、概ね従来のストッパ装置の一部を改変し、これに表示駒５０を装着したもので、従来装置の部品の一部を利用でき、またその組み立ても一部は同じであるから、合理的に製作できる。
【００２４】
次に前記ストッパ表示装置を組み立てる場合は、第１および第２操作レバー３３，３４を組付け、それらの枢支部にピン３９を差し込む。
また、表示駒５０にピン５３を挿入して置き、これら第１および第２操作レバー３３，３４と表示駒５０とをハウジング１５内部に収容し、前記ピン３９，５３をピン孔１８，１９に差し込み、またカムピン４２をカム穴４０を貫通して長孔２０に掛け止める。その際、ハウジング１５内部に通孔１６を介してストッパ４４を予め組み付けて置く。
【００２５】
この後、カバー５８を前記ハウジングアセンブリの後方から差し込み、凹孔６２にカムピン４３を差し込むとともに、取付脚５９を取付フランジ３１に位置付け、これらをビス６０で固定する。
そして、取付板２３を脚柱１０の後端部に挿入し、そのネジ孔２４に脚柱１０の下方からビス２６をねじ込み、またネジ孔２５に脚柱１０の下方からキャスター１３と一体の取付ボルト２７をねじ込む。
【００２６】
こうして組み立てたストッパ表示装置は、周囲をカバー５８で装着して体裁が良く、そのカバー５８の後端部上側の切欠部６１に着色した表示駒５０が位置しているから、表示部５４，５５の表示に注意を喚起する。
【００２７】
そして、前記ストッパ表示装置のストッパ４４のロック作動前は、図６のようにストッパ４４がスプリング４８の弾性によって、ハウジング１５内に引き上げられ、ストッパ脚４７の下面が床面１１から浮上している。したがって、この場合はキャスター１２，１３を介しテーブルを移動することができる。
【００２８】
このような状況の下では、ストッパ４４の頭部４５がレバーブラケット３８の尖端部３８ａと当接し、該ブラケット３８を押し上げている。
このため、レバーブラケット３８がピン３９を中心に上向きに回動し、これに係止爪４９が同動して、表示駒５０の係合爪５６と係合する。
【００２９】
この結果、表示駒５０がピン５３を中心に回動し、表示ピース５１と表示部５４とが開口部６１の周辺に位置し、該開口部６１に緑色の表示ピース５１が位置し、ＦＲＥＥの表示部５４を表示する。
したがって、前記表示ピース５１の着色と表示によって、利用者はストッパ４４がロック作動解除状態であることを認識し、テーブルが移動可能な状態に置かれていることを知る。
【００３０】
この場合、前記第２操作レバー３４の回動によって、カムピン４３が長孔２０を上動してレバーブラケット３６との係合を解除し、前記ストッパ４４の上動を促し、またカムピン４３が第２係止部４２に掛け止められ、第１および第２操作レバー３３，３４並びに表示駒５０の姿勢を保持する。
【００３１】
このような状況の下でテーブルを定位置に制止する場合は、操作板３７に足を載せて押し下げる。
このようにすると、第２操作レバー３４がピン３９を中心に下向きに回動し、その尖端部３８ａを介してストッパ４４がスプリング４８の弾性に抗して押し下げられ、ストッパ脚４７が床面１１に接地し、キャスター１３が床面１１から浮上する。
したがって、ストッパ４４のロック作動が形成され、テーブルの移動が不可能になって、テーブルの安心した使用が可能になる。
【００３２】
その際、第２操作レバー３４の回動によって、カムピン４３が長孔２０を下動して第１係止部４１に掛け止められ、かつ該ピン４３が第２操作レバー３４と同動して、レバーブラケット３６と係合し、第１操作レバー３３を押し下げる。
【００３３】
一方、前記第２操作レバー３４の回動に伴なって、係止爪４９が係合爪５７と係合し、表示駒５０がピン５３を中心に図６上反時計方向へ回動する。
このため、表示部５４がハウジング１５内へ移動し、表示部５５が開口部６１周辺に位置して、開口部６１に赤色の表示ピース５２が位置し、ＬＯＣＫの表示部５４を表示する。
したがって、利用者はストッパ４４がロック作動状態であることを認識し、テーブルが移動不可能な状態に置かれていることを知る。
【００３４】
また、前記第２操作レバー３４の回動に伴ない、カムピン４３が長孔２０を下動して第１係止部４１に掛け止められ、かつ該ピン４３が第２操作レバー３４と同動してレバーブラケット３６と係合し、第１操作レバー３３をピン３９を中心に下向きに回動し、それらの位置を拘束する。
この状況は図３および図７のようで、第２操作レバー３４の後端縁が表示ピース５２の直上に係合可能に位置し、また係止爪４９が係合爪５６，５７に係合可能に位置して、表示駒５０の回動を阻止する。
【００３５】
このような状況でストッパ４４のロック作動を解除する場合は、操作板３５に足を載せ、これを押し下げる。
このようにすると、第１操作レバー３３がピン３９を中心に図３上反時計方向へ回動し、レバーブラケット３６の先端部がカムピン４３と係合して、第２操作レバー３４を第１操作レバー３３と同方向へ回動し、カムピン４３が長孔２０に沿って上動して、レバーブラケット３６との係合を解除する。
【００３６】
このため、ストッパ４４がスプリング４８の弾性によって上動し、ストッパ脚４７が床面１１から浮上してロック作動を解除する。
そして、前記第２操作レバー３４の回動に伴なって、係止爪４９が係合爪５６に係合し、表示駒５０がピン５３を中心に図３上時計方向へ回動する。
【００３７】
このため、表示部５５がハウジング１５内へ移動して切欠部６１から後退し、表示部５４が開口部６１に位置して、開口部６１に緑色の表示ピース５１が位置し、ＦＲＥＥの表示部５３を表示する。
したがって、利用者はストッパ４４がロック作動解除状態であることを認識し、テーブルが移動可能な状態に置かれていることを知る。
【００３８】
その際、第２操作レバー３４の回動に伴ない、カムピン４３が長孔２０を上動して第２係止部４２に掛け止められる。この状況は図６のようである。
【００３９】
なお、前述の実施形態は本発明をテーブルに適用しているが、これに限らず移動可能な椅子や黒板、ＯＡ機器、産業機械等に適用することも可能である。
【００４０】
【発明の効果】
以上のように請求項１の発明は、ハウジングに一対の係合爪を備えた表示手段を回動可能に設け、前記第２操作レバーに前記係合爪と選択的に係合可能な係止爪を設け、前記ストッパのロック作動およびロック解除作動に応じて、前記表示手段を選択的に表示可能にしたから、ストッパのロック作動およびロック解除作動を簡単に確認でき、テーブル等を安全に使用することができる。
【００４１】
請求項２の発明は、前記ハウジングの外面にカバーを装着し、該カバーと前記第２操作レバーとの間に開口部を設け、該開口部に臨ませて前記表示手段の表示面を配置したから、カバーを介しハウジング外面の体裁を向上できるとともに、開口部に対する表示面の注意を喚起することができる。
請求項３の発明は、前記表示手段の表示面を、ストッパのロック作動およびロック解除作動に分けて互いに異色に彩色したから、ストッパのロック作動およびロック解除作動を視覚的に簡便に確認できる効果がある。
【図面の簡単な説明】
【図１】本発明を適用した会議用テーブルの一例を示す正面図で、ストッパのロック作動時の状況を示している。
【図２】本発明に適用したストッパ装置の取り付け状況を示す平面図で、一部を断面図示している。
【図３】図２のＡ―Ａ線に沿う断面図で、ストッパのロック作動時の状況を示している
【図４】図２のＢ―Ｂ線に沿う部分断面図で、ストッパのロック作動時の状況を示している。
【図５】本発明に適用したハウジングの一例を示す断面図である。
【図６】本発明の作動状況を示す断面図で、ストッパのロック作動解除状況を示している。
【図７】本発明の作動状況を示す断面図で、ストッパのロック作動状況を示している。
【符号の説明】
１０                            脚柱
１１                            床面
１３                            キャスター
１５                            ハウジング
３３                            第１操作レバー
３４                            第２操作レバー
４４                            ストッパ
４９                            係止爪
５０                            表示手段（表示駒）
５６，５７                      係合爪
６１                            開口部
【図１】
0003560055.tif 000002
【図４】
0003560055.tif 000003
【図２】
0003560055.tif 000004
【図３】
0003560055.tif 000005
【図５】
0003560055.tif 000006
【図６】
0003560055.tif 000007
【図７】
0003560055.tif 000008